(57)【要約】【課題】乗員の的確な位置に刺激を付与する。【解決手段】シートベルト装置１０では、快適機能部３４に接続された第１伸縮素材３２及び第２伸縮素材３６がそれぞれタング２４及びシートベルト１８の先端１８Ａ又は車室１４の側壁２０に固定されている。このため、乗員にシートベルト１８が装着された際には、第１伸縮素材３２及び第２伸縮素材３６が快適機能部３４に引張力を付与することで、乗員の体格に拘らず、快適機能部３４が乗員の腹部の的確な位置に配置されて刺激を付与できる。【選択図】図１
2008195166.tif 000002
【特許請求の範囲】
【請求項１】
車両の乗員に装着可能にされたシートベルトと、
前記シートベルトの長手方向中間部分が移動可能に挿通され、車両側に支持される挿通部と、
一端側を前記挿通部に支持された第１引張力付与部と、
前記第１引張力付与部の他端側に支持されて前記第１引張力付与部から引張力を付与可能にされ、乗員に刺激を付与可能にされた刺激付与部と、
一端側を前記刺激付与部に支持されると共に、他端側を前記刺激付与部に対し前記第１引張力付与部とは反対側で前記シートベルト又は車両側に支持され、前記刺激付与部に引張力を付与可能にされた第２引張力付与部と、
を備えたシートベルト装置。
【請求項２】
車両の乗員に装着可能にされたシートベルトと、
前記シートベルトの長手方向中間部分が移動可能に挿通され、車両側に支持される挿通部と、
一端側を前記シートベルトに支持されると共に、他端側を前記挿通部に支持された調整部と、
前記調整部が折り返された状態で移動可能に挿通され、乗員に刺激を付与可能にされた刺激付与部と、
一端側を前記刺激付与部に支持されると共に、他端側を前記刺激付与部に対し前記調整部とは反対側で前記シートベルト又は車両側に支持され、前記調整部及び刺激付与部に引張力を付与可能にされた引張力付与部と、
を備えたシートベルト装置。
【発明の詳細な説明】
【技術分野】
【０００１】
本発明は、車両の乗員にシートベルトが装着されるシートベルト装置に関する。
【背景技術】
【０００２】
シートベルト装置としては、シートベルト（ベルト部）に長手方向に沿ってダクト又はチューブが設けられて、ダクト又はチューブを介して温度調節された空気又は熱媒体が流されることで、乗員を暖めたり冷やしたりするものがある（例えば、特許文献１参照）。
【０００３】
しかしながら、このシートベルト装置では、シートベルト（ベルト部）の一端部を除く長手方向全体に、ダクト又はチューブが設けられて、温度調節された空気又は熱媒体が流される。このため、シートベルト（ベルト部）の乗員に接触している部分全体と乗員に接触していない部分とに温度調節された空気又は熱媒体が流される。
【特許文献１】特開２００５−２１９７００公報
【発明の開示】
【発明が解決しようとする課題】
【０００４】
本発明は、上記事実を考慮し、乗員の的確な位置に刺激を付与できるシートベルト装置を得ることが目的である。
【課題を解決するための手段】
【０００５】
請求項１に記載のシートベルト装置は、車両の乗員に装着可能にされたシートベルトと、前記シートベルトの長手方向中間部分が移動可能に挿通され、車両側に支持される挿通部と、一端側を前記挿通部に支持された第１引張力付与部と、前記第１引張力付与部の他端側に支持されて前記第１引張力付与部から引張力を付与可能にされ、乗員に刺激を付与可能にされた刺激付与部と、一端側を前記刺激付与部に支持されると共に、他端側を前記刺激付与部に対し前記第１引張力付与部とは反対側で前記シートベルト又は車両側に支持され、前記刺激付与部に引張力を付与可能にされた第２引張力付与部と、を備えている。
【０００６】
請求項２に記載のシートベルト装置は、車両の乗員に装着可能にされたシートベルトと、前記シートベルトの長手方向中間部分が移動可能に挿通され、車両側に支持される挿通部と、一端側を前記シートベルトに支持されると共に、他端側を前記挿通部に支持された調整部と、前記調整部が折り返された状態で移動可能に挿通され、乗員に刺激を付与可能にされた刺激付与部と、一端側を前記刺激付与部に支持されると共に、他端側を前記刺激付与部に対し前記調整部とは反対側で前記シートベルト又は車両側に支持され、前記調整部及び刺激付与部に引張力を付与可能にされた引張力付与部と、を備えている。
【発明の効果】
【０００７】
請求項１に記載のシートベルト装置では、車両の乗員にシートベルトが装着可能にされており、シートベルトの長手方向中間部分が移動可能に挿通された挿通部が、車両側に支持される。
【０００８】
ここで、第１引張力付与部の一端側が挿通部に支持されると共に、第１引張力付与部の他端側に刺激付与部が支持され、かつ、第２引張力付与部の一端側が刺激付与部に支持されると共に、第２引張力付与部の他端側が刺激付与部に対し第１引張力付与部とは反対側でシートベルト又は車両側に支持されている。
【０００９】
このため、乗員にシートベルトが装着された際には、第１引張力付与部及び第２引張力付与部が刺激付与部に引張力を付与することで、刺激付与部を乗員の的確な位置に配置することができて、刺激付与部が乗員の的確な位置に刺激を付与することができる。
【００１０】
請求項２に記載のシートベルト装置では、車両の乗員にシートベルトが装着可能にされており、シートベルトの長手方向中間部分が移動可能に挿通された挿通部が、車両側に支持される。
【００１１】
ここで、調整部の一端側がシートベルトに支持されると共に、調整部の他端側が挿通部に支持されており、刺激付与部に調整部が折り返された状態で移動可能に挿通されている。さらに、引張力付与部の一端側が刺激付与部に支持されると共に、引張力付与部の他端側が刺激付与部に対し調整部とは反対側でシートベルト又は車両側に支持されており、引張力付与部は調整部及び刺激付与部に引張力を付与可能にされている。
【００１２】
このため、乗員にシートベルトが装着された際には、引張力付与部が調整部及び刺激付与部に引張力を付与して調整部が張られることで、刺激付与部を乗員の的確な位置に配置することができて、刺激付与部が乗員の的確な位置に刺激を付与することができる。
【発明を実施するための最良の形態】
【００１３】
［第１の実施の形態］
図１には、本発明の第１の実施の形態に係るシートベルト装置１０が適用されて構成された車両１２の主要部が車両前斜め左方から見た斜視図にて示されている。なお、図面では、車両前方を矢印ＦＲで示し、車幅方向外方（車両右方）を矢印ＯＵＴで示し、上方を矢印ＵＰで示す。
【００１４】
本実施の形態における車両１２は、車室１４内にシート１６（例えば車室１４の車両前側かつ車両右側に配置される運転席又は助手席）が設けられており、シート１６には乗員（図示省略）が着座している。シート１６は、シートクッション１６Ａとシートバック１６Ｂとを有しており、シートクッション１６Ａは、シート１６の下端部で水平に配置されると共に、シートバック１６Ｂは、シートクッション１６Ａの車両後側端から上側に起立されている。
【００１５】
図２及び図３に示す如く、乗員は、シートベルト１８（ウエビング）を装着しており、シートベルト１８の基端側は、格納手段としての巻取装置（図示省略）に巻き取られている。巻取装置は、シート１６の車幅方向外側かつ下側における車室１４の側壁２０内（例えばピラー内）に固定されており、巻取装置はシートベルト１８を基端側（巻取方向）へ付勢している。
【００１６】
シートベルト１８は、挿通部としてのショルダアンカ２２に移動可能に挿通されており、ショルダアンカ２２は、シート１６の車幅方向外側かつ上側における車室１４の側壁２０（例えばピラー）に係止されている。また、シートベルト１８は巻取装置とショルダアンカ２２との間において車室１４の側壁２０内から車室１４内に延出されており、ショルダアンカ２２は車室１４内に配置されている。なお、ショルダアンカ２２は、シートバック１６Ｂの車幅方向外側かつ上側の部分に係止されてもよい。
【００１７】
シートベルト１８の先端１８Ａは、シート１６の車幅方向外側かつ下側における車室１４の側壁２０（例えばピラー又はロッカ）に係止されている。なお、シートベルト１８の先端１８Ａは、シートクッション１６Ａの車幅方向外側の部分に係止されてもよい。
【００１８】
シートベルト１８は、ショルダアンカ２２と先端１８Ａとの間において、挿通部としてのタング２４に移動可能に挿通されており、タング２４は、支持部としてのインナアンカ２６（バックル）に離脱可能に装着されている。インナアンカ２６は、シート１６の車幅方向内側かつ下側における車室１４の床板に係止されている。なお、インナアンカ２６は、シートクッション１６Ａの車幅方向内側の部分に係止されてもよい。
【００１９】
以上により、シートベルト１８は、ショルダアンカ２２に支持された部分とタング２４に支持された部分との間において、ショルダベルト部２８にされて、乗員の車幅方向外側の肩部から車幅方向内側の腹部（腰部）に斜めに装着されると共に、タング２４に支持された部分と先端１８Ａとの間において、ラップベルト部３０にされて、乗員の腹部（腰部）に車幅方向内側から車幅方向外側に亘って横方向に装着されている。
【００２０】
タング２４には、第１引張力付与部としてのゴム製ベルト状の第１伸縮素材３２の一端が固定されており、第１伸縮素材３２は、ラップベルト部３０の乗員側に配置されると共に、長手方向への弾性（付勢力）を有して長手方向へ弾性伸縮可能にされている。
【００２１】
第１伸縮素材３２の他端には、刺激付与部としての直方体状の快適機能部３４の一端が固定されており、快適機能部３４は、ラップベルト部３０の乗員側に配置されて乗員に接触されることで、乗員に対して、加温処理、冷却処理、振動付与処理及び突起による押圧処理の少なくとも１つを施すことができる。
【００２２】
快適機能部３４の他端には、第２引張力付与部としてのゴム製ベルト状の第２伸縮素材３６の一端が固定されており、第２伸縮素材３６は、ラップベルト部３０の乗員側に配置されると共に、長手方向への弾性（付勢力）を有して長手方向へ弾性伸縮可能にされている。第２伸縮素材３６の他端は、シートベルト１８の先端１８Ａ又はシートベルト１８の先端１８Ａ近傍における車室１４の側壁２０に固定されており、第１伸縮素材３２及び第２伸縮素材３６の弾性力や長手方向長さが調整されることで、シートベルト１８が乗員に装着された際に、第１伸縮素材３２の弾性力（引張力）と第２伸縮素材３６の弾性力（引張力）とによって、ラップベルト部３０の長さ（乗員の体格）に拘らず快適機能部３４が乗員の腹部の特に左右方向中央（特にラップベルト部３０の長手方向中央）に配置される。
【００２３】
次に、本実施の形態の作用を説明する。
【００２４】
以上の構成のシートベルト装置１０では、シートベルト１８が移動可能に挿通されたタング２４が、インナアンカ２６に装着されることで、シートベルト１８が乗員に装着されて、シートベルト１８のショルダベルト部２８が乗員の車幅方向外側の肩部から車幅方向内側の腹部に斜めに装着されると共に、シートベルト１８のラップベルト部３０が乗員の腹部に車幅方向内側から車幅方向外側に亘って横方向に装着される。
【００２５】
ここで、第１伸縮素材３２の一端がタング２４に固定されると共に、第１伸縮素材３２の他端に快適機能部３４の一端が固定され、かつ、第２伸縮素材３６の一端が快適機能部３４の他端に固定されると共に、第２伸縮素材３６の他端がシートベルト１８の先端１８Ａ又はシートベルト１８の先端１８Ａ近傍における車室１４の側壁２０に固定されている。
【００２６】
これにより、乗員にシートベルト１８が装着された際には、第１伸縮素材３２及び第２伸縮素材３６が快適機能部３４に弾性力（引張力）を付与することで、乗員の体格（ラップベルト部３０の長さ）に拘らず、快適機能部３４が乗員の腹部の特に左右方向中央（的確な位置）に配置される。このため、乗員がシートベルト１８を装着するのみで、快適機能部３４を乗員の腹部の特に左右方向中央に配置できて、快適機能部３４が、乗員の腹部の特に左右方向中央に対して、加温処理、冷却処理、振動付与処理及び突起による押圧処理の少なくとも１つを施すことができる。したがって、乗員が快適機能部３４の位置を特別に調整しなくてもよく、シートベルト１８及び快適機能部３４の装着性を向上させることができる。
【００２７】
さらに、快適機能部３４が乗員の特定の位置のみに配置されるため、快適機能部３４がエネルギーを消費する場合には、エネルギー効率を向上させることができる。
【００２８】
なお、本実施の形態では、ラップベルト部３０の乗員側に快適機能部３４を配置した構成としたが、ショルダベルト部２８の乗員側に快適機能部３４を配置した構成としてもよい。この場合、第１伸縮素材３２の一端がタング２４に固定されると共に、第１伸縮素材３２の他端に快適機能部３４の一端が固定され、かつ、第２伸縮素材３６の一端が快適機能部３４の他端に固定されると共に、第２伸縮素材３６の他端がショルダアンカ２２近傍の車室１４の側壁２０又は快適機能部３４に対しタング２４と反対側のショルダベルト部２８に固定される。または、第１伸縮素材３２の一端がショルダアンカ２２に固定されると共に、第１伸縮素材３２の他端に快適機能部３４の一端が固定され、かつ、第２伸縮素材３６の一端が快適機能部３４の他端に固定されると共に、第２伸縮素材３６の他端が快適機能部３４に対しショルダアンカ２２と反対側のショルダベルト部２８又はタング２４に固定される。これにより、乗員にシートベルト１８が装着された際には、第１伸縮素材３２及び第２伸縮素材３６が快適機能部３４に弾性力（引張力）を付与することで、乗員の体格（ショルダベルト部２８の長さ）に拘らず、快適機能部３４が乗員の特に肩部又は胸部に配置される。
【００２９】
［第２の実施の形態］
図４には、本発明の第２の実施の形態に係るシートベルト装置５０が車両後斜め左方から見た斜視図にて示されている。
【００３０】
本実施の形態に係るシートベルト装置５０は、上記第１の実施の形態と、ほぼ同様の構成であるが、以下の点で異なる。
【００３１】
タング２４には、調整部としてのベルト状の調整ベルト５２の一端が固定されており、調整ベルト５２は、ラップベルト部３０の乗員側に配置されると共に、他端がラップベルト部３０の乗員側面に固定されている。
【００３２】
快適機能部３４の一端には、円柱状の滑車５４が回転自在に支持されており、快適機能部３４と滑車５４との間の隙間（挿通部）に調整ベルト５２が移動可能に挿通されることで、滑車５４に調整ベルト５２の長手方向中間部が折り返された状態で巻き掛けられている。
【００３３】
快適機能部３４の他端には、引張力付与部としてのゴム製ベルト状の伸縮素材５６の一端が固定されており、伸縮素材５６は、ラップベルト部３０の乗員側に配置されると共に、長手方向への弾性（付勢力）を有して長手方向へ弾性伸縮可能にされている。伸縮素材５６の他端は、シートベルト１８の先端１８Ａ又はシートベルト１８の先端１８Ａ近傍における車室１４の側壁２０に固定されており、伸縮素材５６の弾性力や長手方向長さが調整されることで、シートベルト１８が乗員に装着された際に、伸縮素材５６の弾性力（引張力）によって調整ベルト５２が張られて、ラップベルト部３０の長さ（乗員の体格）に拘らず快適機能部３４が乗員の腹部の特に左右方向中央（特にラップベルト部３０の長手方向中央）に配置される。
【００３４】
例えば、図５（Ａ）に示す如く、ラップベルト部３０の長手方向中央に快適機能部３４が配置された状態から、図５（Ｂ）に示す如く、ラップベルト部３０が長手方向にＬだけ長くなった場合には、快適機能部３４がＬ／２だけタング２４側へ移動することで、依然としてラップベルト部３０の長手方向中央に快適機能部３４が配置される。
【００３５】
このため、本実施の形態でも、上記第１の実施の形態と同様の作用及び効果を奏することができる。
【００３６】
なお、本実施の形態では、ラップベルト部３０の乗員側に快適機能部３４を配置した構成としたが、ショルダベルト部２８の乗員側に快適機能部３４を配置した構成としてもよい。この場合、調整ベルト５２の一端がタング２４に固定されると共に、調整ベルト５２が快適機能部３４の滑車５４に折り返された状態で巻き掛けられて調整ベルト５２の他端がショルダベルト部２８の乗員側面に固定され、かつ、伸縮素材５６の一端が快適機能部３４の他端に固定されると共に、伸縮素材５６の他端がショルダアンカ２２近傍の車室１４の側壁２０又は快適機能部３４に対しタング２４と反対側のショルダベルト部２８に固定される。または、調整ベルト５２の一端がショルダアンカ２２に固定されると共に、調整ベルト５２が快適機能部３４の滑車５４に折り返された状態で巻き掛けられて調整ベルト５２の他端がショルダベルト部２８の乗員側面に固定され、かつ、伸縮素材５６の一端が快適機能部３４の他端に固定されると共に、伸縮素材５６の他端が快適機能部３４に対しショルダアンカ２２と反対側のショルダベルト部２８又はタング２４に固定される。これにより、乗員にシートベルト１８が装着された際には、伸縮素材５６の弾性力（引張力）によって調整ベルト５２が張られることで、乗員の体格（ショルダベルト部２８の長さ）に拘らず快適機能部３４が乗員の特に肩部又は胸部に配置される。
【図面の簡単な説明】
【００３７】
【図１】本発明の第１の実施の形態に係るシートベルト装置が適用されて構成された車両においてシートベルトが格納された状態を示す車両前斜め左方から見た斜視図である。
【図２】本発明の第１の実施の形態に係るシートベルト装置が適用されて構成された車両においてシートベルトが乗員に装着された状態を示す車両前斜め左方から見た斜視図である。
【図３】本発明の第１の実施の形態に係るシートベルト装置におけるシートベルトが乗員に装着された状態を示す車両前方から見た正面図である。
【図４】本発明の第２の実施の形態に係るシートベルト装置におけるシートベルトが乗員に装着された状態を示す車両後斜め左方から見た斜視図である。
【図５】（Ａ）及び（Ｂ）は、本発明の第２の実施の形態に係るシートベルト装置におけるシートベルトのラップベルト部の長さと快適機能部の位置との関係を示す説明図である。
【符号の説明】
【００３８】
１０    シートベルト装置
１８    シートベルト
２２    ショルダアンカ（挿通部）
２４    タング（挿通部）
３２    第１伸縮素材（第１引張力付与部）
３４    快適機能部（刺激付与部）
３６    第２伸縮素材（第２引張力付与部）
５０    シートベルト装置
５２    調整ベルト（調整部）
５６    伸縮素材（引張力付与部）
【図１】
2008195166.tif 000003
【図２】
2008195166.tif 000004
【図３】
2008195166.tif 000005
【図４】
2008195166.tif 000006
【図５】
2008195166.tif 000007